(57)【特許請求の範囲】
【請求項１】
高所に配置される本体であって下面に反射面（１１）を具備する器具本体（１０）を備え、前記器具本体（１０）の下面側に同心状に装着される三種の環状蛍光ランプ（２１・２２・２３）を備え、前記器具本体（１０）の下面側および前記各環状蛍光ランプ（２１・２２・２３）の下側を覆う光拡散性の透光カバー（３０）を備え、前記器具本体（１０）に付属する点灯回路（２００）であって前記各環状蛍光ランプ（２１・２２・２３）の点滅パターンを選択する点灯回路を備える環状蛍光灯器具において、
前記三種は高さおよび環径の点で高位かつ大環径となる大形環状蛍光ランプ（２１）と中位かつ中環径となる中形環状蛍光ランプ（２２）と低位かつ小環径の小形環状蛍光ランプ（２３）の三種であり、
また前記大形環状蛍光ランプ（２１）は色温度の高い普通色形であり、前記中形環状蛍光ランプ（２２）は色温度の低い電球色形であり、前記小形環状蛍光ランプ（２３）は色温度の高い普通色形であり、
前記点灯回路（２００）は前記大形環状蛍光ランプ（２１）・前記中形環状蛍光ランプ（２２）・前記小形環状蛍光ランプ（２３）が共に点灯する全灯点灯パターンと、前記大形環状蛍光ランプ（２１）が点灯し前記中形環状蛍光ランプ（２２）が消灯し前記小形環状蛍光ランプ（２３）が点灯する２灯点灯パターンと、前記大形環状蛍光ランプ（２１）が消灯し前記中形環状蛍光ランプ（２２）が点灯し前記小形環状蛍光ランプ（２３）が消灯する１灯点灯パターンとの三パターンを切り替え選択する手段（２９０）を具備することを特徴とする環状蛍光灯器具。
【請求項２】
請求項１において、各「色温度の高い普通色形」の記載を「色温度の低い電球色形」に改め、逆に「色温度の低い電球色形」の記載を「色温度の高い普通色形」に改めた環状蛍光灯器具。
【発明の詳細な説明】
【０００１】
【発明の属する技術分野】
本発明は高さおよび環径の点で異なる三種の環状蛍光ランプを組み込んだ環状蛍光灯器具に関するものである。
【０００２】
【従来の技術】
同一色温度の２灯あるいは３灯の環状蛍光ランプを組み込んだ環状蛍光灯器具は公知である。色温度の異なる２灯の環状蛍光ランプを組み込んだ環状蛍光灯器具も公知である。前者は広く普及している汎用器具である。後者は１灯を上向き配光に、もう１灯を下向き配光に振り分ける直接・間接併用形照明である。
【０００３】
【発明が解決しようとする課題】
前記前者の環状蛍光灯器具は同一色温度の光を用いる同色照明である。前記後者の環状蛍光灯器具は異なる色温度の光を上下に使い分ける特殊混色照明であって、下向き配光を重視する主照明用途の混色照明ではない。
本発明の目的は主照明用途の混色照明を実現する環状蛍光灯器具を提供することである。またその実施にともなう色斑の問題を緩和することである。
【０００４】
【課題を解決するための手段】
本発明に係る環状蛍光灯器具は下面に反射面を具備する器具本体を備える。前記器具本体の下面側に同心状に装着される三種の環状蛍光ランプを備える。それらの下側を覆う光拡散性の透光カバーを備える。前記各環状蛍光ランプの点滅パターンを選択する点灯回路を備える。
前記三種は高さおよび環径の点で高位かつ大環径となる大形環状蛍光ランプと中位かつ中環径となる中形環状蛍光ランプと低位かつ小環径の小形環状蛍光ランプの三種である。
また前記大形環状蛍光ランプは色温度の高い普通色形であり、前記中形環状蛍光ランプは色温度の低い電球色形であり、前記小形環状蛍光ランプは色温度の高い普通色形である。
前記点灯回路は所要の全灯点灯パターン・２灯点灯パターン・１灯点灯パターンの三パターンを切り替え選択する手段を具備する。
透光カバーの中央区域は普通色形の小形環状蛍光ランプの影響が特に強い特異区域である。そこは普通色優勢の混色となる。それにあわせて全体を近似普通色形の混色とする。
【０００５】
【発明の実施の形態】
図１・図２に示すように、本発明に係る環状蛍光灯器具は高所に配置される本体であって下面に反射面１１を具備する器具本体１０を備える。器具本体１０の下面側に同心状に装着される三種の環状蛍光ランプ２１・２２・２３を備える。
器具本体１０の下面側および各環状蛍光ランプ２１・２２・２３の下側を覆う光拡散性の透光カバー３０を備える。
器具本体１０内に付属する点灯回路２００を備える。それは図３のようなものである。点灯回路２００は各環状蛍光ランプ２１・２２・２３の点滅パターンを選択する機能を持つ。
図１・図２に示すように、前記三種は高さおよび環径の点で高位かつ大環径となる大形環状蛍光ランプ２１と中位かつ中環径となる中形環状蛍光ランプ２２と低位かつ小環径の小形環状蛍光ランプ２３の三種である。
また大形環状蛍光ランプ２１は色温度の高い普通色形であり、中形環状蛍光ランプ２２は色温度の低い電球色形であり、小形環状蛍光ランプ２３は色温度の高い普通色形である。
点灯回路２００は大形環状蛍光ランプ２１・中形環状蛍光ランプ２２・小形環状蛍光ランプ２３が共に点灯する全灯点灯パターンと、大形環状蛍光ランプ２１が点灯し中形環状蛍光ランプ２２が消灯し小形環状蛍光ランプ２３が点灯する２灯点灯パターンと、大形環状蛍光ランプ２１が消灯し中形環状蛍光ランプ２２が点灯し小形環状蛍光ランプ２３が消灯する１灯点灯パターンとの三パターンを切り替え選択する手段を具備する。図３の２９０はそのような切り替え選択手段である。
図１の器具本体１０は天井面Ｃへ直付けされる直付けタイプである。その反射面１１は乳白色の塗装面である。環状蛍光ランプ２１・２２・２３は都合３灯であり、３灯用器具となる。それは汎用品である。４灯以上になると大形かつ特殊品であって需要が少ない。透光カバー３０は中が透けて見えない不透明な乳白色のものであり、各環状蛍光ランプ２１・２２・２３に沿った変形半球状のものであり、無駄な内容積の少ないコンパクトなものである。各環状蛍光ランプ２１・２２・２３の高さおよび環径を前記のように規定し、それら全体をいわばすり鉢形に配置すると、それらを包む透光カバー３０ひいては器具全体のコンパクト化に役立つ。
最も高い位置にある最も環径の大きな大形環状蛍光ランプ２１はＪＩＳ型式：ＦＣＬ４０ＥＸ−Ｄの４０Ｗ・昼光色のものであり、その外環径は３７８ｍｍであり色温度は６７００Ｋである。中形環状蛍光ランプ２２はＦＣＬ３２ＥＸ−Ｌの３２Ｗ・電球色のものであり、その外環径は３０４ｍｍであり色温度は３０００Ｋである。最も低い位置にある最も環径の小さな小形環状蛍光ランプ２３はＦＣＬ３０ＥＸ−Ｄの３０Ｗ・昼光色のものであり、その外環径は２２６ｍｍであり色温度は６７００Ｋである。
図１・図２の大形環状蛍光ランプ２１および小形環状蛍光ランプ２３は色温度の高い普通色形である。その例は前記昼光色であり、他の例は周知の昼白色である。残りのもう１灯は色温度の低い電球色形の中形環状蛍光ランプ２２である。相対的には普通色の方が優勢であり、電球色の方が劣勢である。この意味では、近似普通色形の混色照明となる。この点は本発明の特徴事項のひとつである。近似電球色形の混色照明も考えられる。後者の場合は、電球色形の大形環状蛍光ランプ（２１）、普通色形の中形環状蛍光ランプ（２２）、電球色形の小形環状蛍光ランプ（２３）の組み合わせとする。電球色よりも普通色の方が広く普及している現状を考慮すると、近似電球色形よりも近似普通色形の方が実用的に思えるが、その点は趣向の問題である。本発明は近似普通色形・近似電球色形のいずれでもよいが、両者は色以外の点において同効である。
図３の点灯回路２００は整流電源２０１と平滑用コンデンサ２０２と各スイッチング素子２０３と各フライホイールダイオード２０４と各半電圧用コンデンサ２０７・２０８を含むインバータを主体とする。インバータ負荷は大形環状蛍光ランプ２１・中形環状蛍光ランプ２２・小形環状蛍光ランプ２３と各ランプに直列のバラスト用インダクタ２０５と各ランプに並列の予熱用コンデンサ２０６を含むランプ負荷回路である。大形環状蛍光ランプ２１・小形環状蛍光ランプ２３の各ランプ負荷回路は並列である。該並列回路は一方の半電圧用コンデンサ２０７に連なる。中形環状蛍光ランプ２２のランプ負荷回路は独立であり、もう一方の半電圧用コンデンサ２０８に連なる。このインバータは周知の変形ハーフブリッジ形である。
図３における切り替え選択手段２９０のスイッチ要素は半電圧用コンデンサ２０７（２０８）に直列のオンオフ用トランジスタ２９１（２９３）とそれに逆並列の補助ダイオード２９２（２９３）である。オンオフ用トランジスタ２９１（２９３）がオフである場合は補助ダイオード２０２（２０４）を介してそれに連なる半電圧用コンデンサ２０７（２０８）が満充電された状態で動作が停止し、それに対応する大形環状蛍光ランプ２１・小形環状蛍光ランプ２３が共に消灯（小形環状蛍光ランプ２２が消灯）する。２０５・２０７は赤外線信号２９６を利用するリモートコントロールシステムの赤外線信号送信ユニット・赤外線信号受信ユニットである。前記オンオフ用トランジスタ２９１・２９３は赤外線信号受信ユニット２０７を介して制御される。この場合の切り替え選択手段２９０はいわゆるリモコンスイッチである。
本発明の趣旨は混色照明である。より正確には近似普通色形混色照明ないしは近似電球色形混色照明である。図３の切り替え選択手段２９０の役割は混色照明に関連する付加価値を加えることである。それによって普通色単独照明または電球色単独照明とすることが可能となる。
図３のオンオフ用トランジスタ２９１・２９３を共にオン状態にセットすると、大形環状蛍光ランプ２１・中形環状蛍光ランプ２２・小形環状蛍光ランプ２３の全てが点灯する全灯点灯パターンとなる。そのときの総合色温度は４５００Ｋ（ただし、試作器具による実測値）である。オンオフ用トランジスタ２９１のみをオン状態にセットすると、中形環状蛍光ランプ２２のみが消灯する２灯点灯パターンとなり、総合色温度が６７００Ｋの昼光色となる。この場合は高位および低位の位置の両環状蛍光ランプ２１・２３から昼光色の光をバランスよく出力する。オンオフ用トランジスタ２９３のみをオン状態にセットすると、中形環状蛍光ランプ２２のみが点灯する１灯点灯パターンとなり、総合色温度が３０００Ｋの電球色となる。この場合は中位の位置の中形環状蛍光ランプ２２から電球色の光をバランスよく出力する。
各環状蛍光ランプ２１・２２・２３たとえば中形環状蛍光ランプ２２から出るランプ光は透光カバー３０の近傍区域を直に照射する。ランプ光の一部は他の環状蛍光ランプ２１・２３の近傍区域へも届き、そこを直に照明する。上向きのランプ光は器具本体１０の反射面１１で転向して透光カバー３０の全体を広く照射する。それらの光は透光カバー３０を拡散して透過し、下向き配光形の主照明用途の混色照明を実現する。実用上は室内の各所において混色がなされなければならない。この混色に光拡散性の透光カバー３０は有益である。また、透光カバー３０の各区域において混色がなされなければならない。そうでないと色斑（いろむら）がひどく商品価値を損ねる。透光カバー３０上の明暗を問題視する光斑（ひかりむら）はよく知られている。色斑もそれに類似する。透光カバー３０のある区域に主として普通色形の光が入射し、別の箇所に主として電球色の光が入射するのであれば、その間に色斑の違和感を生ずる。前者の区域は白っぽく光って見え、後者の区域は赤っぽく光って見える。同心上に各環状蛍光ランプ２１・２２・２３を配置する混色照明の場合は、色斑対策が難しい。
説明の便宜上、透光カバー３０における小形環状蛍光ランプ２３の内環径の範囲にほぼ対応する区域を特に中央区域３０Ｃと定義する。中央区域３０Ｃに隣接するのは小形環状蛍光ランプ２３のみであり、しかもそれによって囲まれる。中央区域３０Ｃは小形環状蛍光ランプ２３の影響が特に強い特異区域である。中央区域３０にはそれらの回りから小形環状蛍光ランプ２３の昼光色の光が直に入射する。中形環状蛍光ランプ２２からの電球色の直射光は小形環状蛍光ランプ２３によって遮られて中央区域３０Ｃへは届き難い。これは各環状蛍光ランプ２１・２２・２３のすり鉢形配置に関係するが、それを逆すり鉢形（すり鉢を伏せた形）配置に変更することは、コンパクト化に逆行するのでできない。小形環状蛍光ランプ２３・中形環状蛍光ランプ２２からほぼ等距離となるように中央区域３０Ｃを遠方に配置することも考えられるが、これもコンパクト化に逆行するので実用的でない。中形環状蛍光ランプ２２から出て中央区域３０Ｃへ入る電球色の光のほとんどは反射面１１からの反射光である。このため中央区域３０Ｃは昼光色が優勢で電球色が劣勢となる。そこでの対等な混色は困難である。
そこで、それによる色斑の弊害を緩和するために、次のように工夫する。すなわち中央区域３０Ｃとほぼ同様にその他の区域をも昼光色優勢の区域とする。それは近似昼光色の混色とすることで実現する。最も外側の大形環状蛍光ランプ２１はその付近の近似昼光色化に貢献する。同時に中形環状蛍光ランプ２２の近傍区域へその両側の大形環状蛍光ランプ２１・小形環状蛍光ランプ２３からの昼光色の直射光を照射して、電球色の傾向を相対的に薄める。以上のようにすると、特異区域である中央区域３０Ｃの特異性が目立たなくなり、色斑が緩和する。
本発明によらない昼光色大形環状蛍光ランプ（２１）・昼光色中形環状蛍光ランプ（２２）・電球光色小形環状蛍光ランプ（２３）の組み合わせの場合は、全体が近似昼光色形の混色となり、中央区域３０Ｃは電球色優勢の混色となり、その間に大きな有害な格差を生ずる。この場合の透光カバー３０は周囲が白っぽく中央が赤っぽい卵形の色斑が鮮明に現れる。本発明によらない電球色大形環状蛍光ランプ（２１）・昼光色中形環状蛍光ランプ（２２）・昼光色小形環状蛍光ランプ（２１）の配置の場合は周囲が赤っぽく中央が白っぽい変則卵形の色斑が鮮明に現れる。以上の昼光色・電球色の関係を入れ替えた場合であってもほぼ同様である。本発明による昼光色大形環状蛍光ランプ２１の設置を省略した本発明外の２灯の実施形態である場合は、全体の近似昼光色化が不可となり、強い色斑が残る。
【０００６】
【発明の効果】
本発明は所要の三種の環状蛍光ランプ、透光カバーおよび点灯回路を組み込んだ環状蛍光灯器具である。これによれば主照明用途の混色照明が実現する。また、近似普通色形ないしは近似電球色形として透光カバーの色斑を緩和したので、無理なく実施できる。さらに、普通色ないしは電球色だけに切り替えることも可能であるため、便利である。
【図面の簡単な説明】
【図１】本発明器具の一部切り欠き正面図である。
【図２】その一部切り欠き底面図である。
【図３】その点灯回路図である。
【符号の説明】
１０：器具本体
２１：大形環状蛍光ランプ
２２：中形環状蛍光ランプ
２３：小形環状蛍光ランプ
３０：透光カバー
３０Ｃ：中央区域
２００：点灯回路
２９０：切り替え選択手段
【図１】
0004055244.tif 000002
【図２】
0004055244.tif 000003
【図３】
0004055244.tif 000004